(57)【要約】【課題】取付部材によりパネルを表裏一方の側に片寄った位置に取り付けた場合に、簡単な構造により、パネルを安定して支持することができるパネル支持構造を提供せんとする。【解決手段】アジャスター装置は支持部材３と調節ボルト１１よりなり、ボルト取付孔３０が中心位置に対して脚部幅方向に所定距離だけオフセットした位置に形成され、地レール５内に設置された状態において調節ボルト１１がパネル厚み方向の中央位置に対して前記パネルＰ１と同じ一方の側にオフセットした位置に突設し、当該オフセットした位置において調節ボルト頭部１１ａで巾木部材６の嵌合部６１を支持するように構成されている。【選択図】図３
2008121382.tif 000002
【特許請求の範囲】
【請求項１】
床面に設置される地レール内に、調節ボルトと該ボルトが螺合する支持部材とより構成され、パネル下端の取付部材を高さ調節可能に支持するアジャスター装置を、間隔をおいて複数挿着してなるパネル支持構造において、前記取付部材により前記パネルを表裏一方の側に片寄った位置に取り付けるとともに、前記アジャスター装置の調節ボルトを、前記地レール内における前記パネルと同じ一方の側にオフセットした位置に取り付けてなることを特徴とするパネル支持構造。
【請求項２】
前記アジャスター装置の調節ボルトを、前記地レール内に挿着される前記支持部材におけるパネル厚み方向の中央位置に対して前記パネルと同じ一方の側にオフセットした単又は複数の位置に形成した取付孔に螺合してなる請求項１記載のパネル支持構造。
【請求項３】
前記支持部材のパネル面に平行な横方向の幅寸法を、パネル厚み方向の幅寸法と略同じに設定し、該支持部材を９０度回転させて地レール内に挿着可能とした請求項２記載のパネル支持構造。
【請求項４】
前記支持部材に、前記オフセットした単又は複数の位置とパネル厚み方向中央の位置にそれぞれ前記調節ボルトの取付孔を形成した請求項２記載のパネル支持構造。
【請求項５】
地レール内の前記オフセットした単又は複数の位置とパネル厚み方向中央の位置にそれぞれ前記支持部材が係合する係止部を設け、該支持部材を前記地レール内にて位置変更可能とした請求項１記載のパネル支持構造。
【請求項６】
前記パネルがガラスパネルである請求項１〜５の何れか１項に記載のパネル支持構造。
【発明の詳細な説明】
【技術分野】
【０００１】
本発明は、床面に設置される地レール内に、パネル下端の取付部材を高さ調節可能に支持するアジャスター装置を挿着してなるパネル支持構造に係り、とくに取付部材によりパネルを表裏一方の側に片寄った位置に取り付けた場合にもパネルを安定して支持することができるパネル支持構造に関する。
【背景技術】
【０００２】
この種の支持構造として、従来、ガラスを枠体表面に近づけ、該表面との間に生じる段差を極力小さくし、反対側には大きな空間を残すパネルシステムにおいて、床面に断面略Ｕ型をした巾木を敷設し、パネル受けを巾木に内装させてアジャスターボルトにより支え、パネル受けの両側片はその上端にて屈曲し、側片との間に隙間を残して下方へガイド片を伸ばし、ガイド片の下端には受けを形成している。ガラスパネルの下桟の垂下片は受けにより、支持片は側片の上端によって支えられ、巾木はパネル受けの側片とガイド片間に残された隙間に嵌入し、該パネル受けと組み合わされることで巾木の剛性を向上させ、ガラスパネルの支えの安定化を図った支持構造が提案されている（例えば、特許文献１参照。）。
【０００３】
しかしながら、このようなパネル受けで巾木を挟み込んだ構成は巾木部分の高さが高くなり、その分だけ不安定化するとともに、剛性が保てたとしてもパネルの荷重が巾木のパネル側の壁面に集中し、パネルシステム全体としての荷重の片寄りによる不安定化は解消できない。
【０００４】
また、ガラスパネルの上下両端部の裏面に固着されたフレームを、床面と天井に設けたパネル支持体の前面に固定手段をもって取付け、ガラス本体のほぼ全面を前方に露出させるとともに、その上下の端面が床面と天井とに近接するように建付けた構造において、下部パネル支持体を左右方向に長い側面視上向コ字状断面の支持ベースと、その上面と前後両面の全長を覆うようにして、上下に摺動可能に跨嵌された下向コ字状断面のパネル支持杆と、このパネル支持杆の上面と後面とを覆う側面視倒立Ｌ字状断面をなすカバーとを備え、ガラスパネルの上下のフレームにおける垂直片に予め固着しておいた左右複数の皿ボルトを、下部パネル支持体のパネル支持杆の前部の下向取付片と、上部パネル支持体の下向取付片とに穿設された通孔に挿通し、後方よりナットにより締付ける構造が提案されている（例えば、特許文献２参照。）。
【０００５】
このような構造によればパネルを低い位置で支持できる点で外観性、および安定性が向上するが、支持ベースのパネル側壁面にパネルの荷重が集中する構造に変わりはなく、パネルシステム全体としてのパネル荷重の片寄りによる不安定化は解消されない。特に、パネルが重量の大きなガラスパネルの場合、不安定化はより顕著となる。
【０００６】
【特許文献１】実開平５−７３１１７号公報
【特許文献２】特開２００６−２００２４７号公報
【発明の開示】
【発明が解決しようとする課題】
【０００７】
そこで、本発明が前述の状況に鑑み、解決しようとするところは、取付部材によりパネルを表裏一方の側に片寄った位置に取り付けた場合に、簡単な構造により、パネルを安定して支持することができるパネル支持構造を提供する点にある。
【課題を解決するための手段】
【０００８】
本発明は、前述の課題解決のために、床面に設置される地レール内に、調節ボルトと該ボルトが螺合する支持部材とより構成され、パネル下端の取付部材を高さ調節可能に支持するアジャスター装置を、間隔をおいて複数挿着してなるパネル支持構造において、前記取付部材により前記パネルを表裏一方の側に片寄った位置に取り付けるとともに、前記アジャスター装置の調節ボルトを、前記地レール内における前記パネルと同じ一方の側にオフセットした位置に取り付けてなることを特徴とするパネル支持構造を提供する。
【０００９】
ここで、前記アジャスター装置の調節ボルトを、前記地レール内に挿着される前記支持部材におけるパネル厚み方向の中央位置に対して前記パネルと同じ一方の側にオフセットした単又は複数の位置に形成した取付孔に螺合してなる構造が好ましい。
【００１０】
また、前記支持部材のパネル面に平行な横方向の幅寸法を、パネル厚み方向の幅寸法と略同じに設定し、該支持部材を９０度回転させて地レール内に挿着可能とした構造が好ましい。
【００１１】
あるいは、前記支持部材に、前記オフセットした単又は複数の位置とパネル厚み方向中央の位置にそれぞれ前記調節ボルトの取付孔を形成した構造も好ましい。
【００１２】
また、地レール内の前記オフセットした単又は複数の位置とパネル厚み方向中央の位置にそれぞれ前記支持部材が係合する係止部を設け、該支持部材を前記地レール内にて位置変更可能とした構造も好ましい。
【発明の効果】
【００１３】
以上にしてなる本願発明に係るパネルの支持構造によれば、アジャスター装置の調節ボルトを、前記地レール内におけるパネルと同じ一方の片寄り側にオフセットした位置に取り付けたので、前記一方の側に荷重の重心が偏ったパネルを安定して支持できる。
【００１４】
また、支持部材のパネル面に平行な横方向の幅寸法を、パネル厚み方向の幅寸法と略同じに設定し、該支持部材を９０度回転させて地レール内に挿着可能としたので、たとえば調節ボルトの取付位置を前記オフセットした位置からパネル厚み方向中央の位置に切り替えパネルの荷重が表裏一方に片寄って作用する場合とそうでない場合の双方の場合に、同一のアジャスター装置を用いてそれぞれ安定支持することもでき、管理・施工の効率化を図ることができる。
【００１５】
また、支持部材に、前記オフセットした単又は複数の位置とパネル厚み方向中央の位置にそれぞれ前記調節ボルトの取付孔を形成したので、調節ボルトを各取付孔の間で付け替えるだけで、たとえばパネルの荷重が表裏一方に片寄って作用する場合とそうでない場合の双方の場合に対応でき、さらなる施工の容易化が図れる。
【００１６】
また、地レール内の前記オフセットした単又は複数の位置とパネル厚み方向中央の位置にそれぞれ前記支持部材が係合する係止部を設け、支持部材を地レール内で位置変更可能としたので、支持部材の回転や調節ボルトの付け替えを行う必要がなく、施工の容易化が図れる。
【発明を実施するための最良の形態】
【００１７】
次に、本発明の実施形態を添付図面に基づき詳細に説明する。
【００１８】
図１は、本発明に係るパネル支持構造Ｓを備えるパネルシステム１０の全体構成図であり、図１〜９は第１実施形態、図１０および図１１は第２実施形態、図１２および図１３は第３実施形態を示し、図中符号Ｐ〜Ｐ３はガラスパネル、１はアジャスター装置、２Ａ〜２Ｄは枠部材、３は支持部材、４は目地具、５は地レール、６は巾木部材、７は天レール、８は笠木部材、１１は調節ボルトをそれぞれ示している。
【００１９】
本発明のパネル支持構造Ｓは、図１および図３に示すように、床面に設置される地レール５内に、調節ボルト１１と該ボルト１１が螺合する支持部材３とより構成され、ガラスパネル下端の取付部材１２を高さ調節可能に支持するアジャスター装置１を、間隔をおいて複数挿着したものであり、特に、前記取付部材１２により前記ガラスパネルＰ１（Ｐ、Ｐ３）を表裏一方の側に片寄った位置に取り付けるとともに、前記アジャスター装置１の調節ボルト１１を、前記地レール５内における前記ガラスパネルＰ１と同じ一方の側にオフセットした位置に取り付け、前記一方の側に荷重の重心が偏ったガラスパネルを安定して支持するものである。
【００２０】
なお、以下の実施形態のパネルシステム１０においては、ガラスパネルを上下に枠部材２Ｂ、２Ｃを介して巾木部材６および笠木部材８にそれぞれ固定しているが、ガラスパネルＰ１（Ｐ、Ｐ３）の上下端部を直接これら部材に固定してもよい。また、本例では巾木部材６を取付部材１２として構成し、その下面側をアジャスター装置１で直接支持する構造としているが、巾木部材６以外の別部材で取付部材１２を構成し、巾木部材は地レール表裏側をカバーするだけの部材としてもよい。さらに、以下の実施形態ではガラスパネルを支持した構造について説明するが、本発明はこれに何ら限定されず、例えばアクリルパネルや金属製パネル、木製板材の表面に織布を張設したクロスパネルなど、種々のパネルとすることができる。
【００２１】
先ず、図１〜９に基づき第１実施形態を説明する。
【００２２】
本実施形態のパネルシステム１０は、ガラスパネルＰ、Ｐ１，…よりなり、ガラスパネルＰ、Ｐ１は互いに支柱２１を介して連結され、ガラスパネルＰ１、Ｐ３は互いに支柱無しに目地具４を介して直線状に接続されており、支柱２１、２１の間にこれらガラスパネルＰ１、Ｐ３の接続体が支持されているシステムである。
【００２３】
このパネルシステム１０は、図３に示すように、天井と床面に天レール７と地レール５を対向させて取付け、該地レール５に外嵌するとともにアジャスター装置１によりレベル調整された巾木部材６の上に支柱２１を立設し、支柱２１の上端部は天レール７内で固定金具で取付け、隣接する支柱２１の間の上端部に、前記天レール７に上下スライド且つ固定可能に外嵌した笠木部材８の両端を仮止めし、後述するようにガラスパネルＰ１，…を取り付けた後、笠木部材８を固定して構成される。
【００２４】
ガラスパネルＰ１は、図２および図３に示すように、支柱２１に対向する縁部２０ａに沿って縦枠部材２Ａが取付けられるとともに、ガラスパネル下縁部２０ｂに沿って横枠部材２Ｂが、上縁部２０ｃに沿って横枠部材２Ｃがそれぞれ取り付けられ、ガラスパネルＰ３に対向する縁部２０ｄには第１目地部材４１が取付けられており、これら枠部材を介して支柱２１、巾木部材６、笠木部材８に固定された上、第１目地部材４１がガラスパネルＰ３の第２目地部材４２を嵌合してガラスパネルＰ１、Ｐ３が直線状に連結される。
【００２５】
縦枠部材２Ａおよび横枠部材２Ｂ、２Ｃは、ガラスパネルＰ１の各縁部に予め固定される表側枠部材２４Ａ，２４Ｂ、２４Ｃと、これら表側枠部材を支柱２１、巾木部材６、笠木部材８に取り付けた後、ガラスパネル裏面側から挿入して対応する表側枠部材に弾性嵌合して支柱２１、巾木部材６、笠木部材８の裏面側に当接して装着される裏側枠部材２５Ａ，２５Ｂ，２５Ｃとより構成されている。
【００２６】
表側枠部材２４Ａ，２４Ｂ、２４Ｃは、図２、３に示すように、ガラスパネルＰ１の各縁部２０ａ，２０ｂ，２０ｃを支持する断面略Ｌ字形の支持片２２が長手方向に渡って突設されており、各々両面テープ２３又はコーキング材にて前記各縁部に強固に固定されている。そして、これら表側枠部材を取り付けたガラスパネルＰ１を表側から巾木部材６と笠木部材８の間に挿入し、各表側枠部材の支持片２２を支柱２１、巾木部材６、笠木部材８の表面側にそれぞれ当接した状態で該支柱２１、巾木部材６、笠木部材８の内面側に沿って延びる各内面部２６を該内側面に取付ネジ２７により取り付けて固定する。これら各表側枠部材は、例えばアルミ押出し型材で作製される。
【００２７】
裏側枠部材２５Ａ，２５Ｂ，２５Ｃには、それぞれ前記支柱２１、巾木部材６、笠木部材８の裏側面に当止する中実部２８を有し、該中実部２８の内側からパネル厚み方向に延びた内面板２９を有し、該内面板２９の先端は、対応する表側枠部材２４Ａ，２４Ｂ、２４Ｃの内面部２６の係合凹部２４ａに嵌合し、該内面板２９と内面部２６とは面一になる。また、前記中実部２８には表側枠部材２４Ａ，２４Ｂ、２４Ｃの内面部２６の先端片８０を受け入れる係合段部８１を形成するとともに、前記中実部２８と内面板２９の基部との間に溝部８２を形成し、該溝部８２に板ばね８３を嵌着できるように構成されている。板ばね８３は先端部が外側に断面へ字状に屈曲しており、この屈曲部が裏側枠部材２５Ａ，２５Ｂ，２５Ｃをそれぞれ表側枠体２４Ａ，２４Ｂ、２４Ｃに嵌合したときに、前記先端片８０の内面に形成した係合溝８４に弾性的に係合するようになっている。これら各裏側枠部材も例えばアルミ押出し型材で作製される。
【００２８】
ガラスパネルＰ３の縁部２０ａには、ガラスパネルＰ１の第１目地部材４１に嵌合する第２目地部材４２が取付けられ、上縁部、下縁部、他側縁部には上記ガラスパネルＰ１に用いたものと同一構造の枠部材が設けられており、すでに設置されているガラスパネルＰ１の第１目地部材４１に前記第２目地部材４２を嵌合させつつ、上記ガラスパネルＰ１の場合と同様、表側枠部材から各枠部材を支柱、巾木部材６、笠木部材８に固定する。ここで、各枠部材の裏側枠部材２５Ｂは、ガラスパネルＰ１のものと一体に構成されており、ガラスパネルＰ１、Ｐ３の表側枠部材をそれぞれの位置に取り付けた後、ガラスパネル裏面側から一体構成された裏側枠部材２５Ｂを取り付けている。これによりガラスパネル同士の連結強度を高めている。
【００２９】
地レール５は、図３に示すように、上方開放した断面略コ字形のチャンネル部材であり、床面にアンカーボルトで固定されている。また、巾木部材６は、アルミ押出し型材で作製し、上部に前記ガラスパネルＰ１の枠部材２Ｂを構成する表側枠部材２４Ｂの支持片２２と、裏面側枠部材２５Ｂの中実部２８とが外嵌する嵌合部６１を形成するとともに、該嵌合部６１の両側に中空の巾木部６２、６２を垂下し、両巾木部６２、６２が前記地レール５を外嵌することができるようになっている。この巾木部材６は本発明におけるガラスパネル下端の取付部材１２に相当する部材である。そして、地レール５の溝内にはアジャスター装置１を所定間隔毎に設け、前記巾木部材６のレベルを調整できるようになっている。アジャスター装置１を設置する箇所は、巾木部材６の長手方向に沿って、特に荷重が集中しやすい支柱２１下の箇所に優先的に設置され、その他、たとえば１ｍ程の適宜間隔で設けられることが好ましい。
【００３０】
アジャスター装置１は、図３及び図４に示すように、地レール５内に挿着される支持部材３と、その上面に突設される調節ボルト１１とより構成されており、調節ボルト１１の頭部上面に皿ネジ状の平坦面を有し、これに前記巾木部材６の嵌合部６１の下面が当接してガラスパネルＰ１および支柱２１の荷重を支持する当該巾木部材６をレベル調節可能に支持している。
【００３１】
前記支持部材３は、図４に示すように調節ボルト１１の取付孔３０を有する平面視矩形状の上面部３１とその両側縁から下方に延びる一対のＬ字状脚部３２、３２とよりなる断面視略Ω字状の部材であり、脚部幅方向に沿った幅寸法ａ２が地レール５内部の表裏方向の幅寸法ａ３と略同一に設定されている。そして、前記脚部３２、３２をパネル面に平行な横方向に向け、該脚部３２、３２の側縁部３２ｂが地レール内壁面５０に当接した安定した状態で、該地レール５底面に載置される。
【００３２】
上面部３１に形成される取付孔３０は、貫通孔に裏面側からナットを溶接して前記調節ボルト１１が螺合する螺孔であり、中心位置に対して脚部幅方向に所定距離だけオフセットした位置に形成されており、地レール５内に設置された状態において、図３に示すように調節ボルト１１がパネル厚み方向の中央位置に対して前記ガラスパネルＰ１と同じ一方の側にオフセットした位置に突設し、当該オフセットした位置において調節ボルト頭部１１ａで巾木部材６の嵌合部６１を支持するように構成されている。
【００３３】
この支持部材３は、パネル面に平行な横方向、本例ではＬ字状脚部３２、３２の先端縁３２ａ、３２ａ間の幅寸法ａ１と、パネル厚み方向、本例では脚部幅方向に沿った幅寸法ａ２とが略同じに設定されており、図３に示した状態から支持部材３を９０度回転させ、前記先端縁３２ａが地レール内壁面５０に当接した状態に地レール５内に挿着するだけで、調節ボルト１１が突出する取付位置をパネル厚み方向中央の位置に切り替えることができ、たとえば図５（ａ）、（ｂ）に示すように、表裏対称な位置にガラスパネルＰを２枚取り付ける場合や、ガラスパネルＰを中央位置に取り付ける場合に、ガラスパネル荷重が作用する巾木部材６の中心位置で安定して支持させることが可能となる。勿論、ガラスパネルＰを表裏反対側に片寄った位置に取り付ける場合には、図５（ｃ）に示すように前記支持部材３をさらに９０度回転させて、該ガラスパネルＰの荷重が作用する側にオフセットした位置に調節ボルト１１を取り付け、図３と同様、ガラスパネルＰを安定して支持することができる。
【００３４】
なお、本例では調節ボルト１１の頭部を皿ネジ状として巾木部材６の嵌合部６１の下面に当接しているが、当接面積を増やしてより安定した支持構造とするべく、図６に示すように、調節ボルト１１の頭部１１ａに相対回転可能に支持される支持プレート３３を別途設け、該支持プレート３３を前記嵌合部６１の下面に当接させて支持するように構成することも好ましい実施例である。また、本発明は調節ボルト１１をガラスパネル側にオフセットした位置に設けて片寄った荷重を安定して支持するものであり、調節ボルト１１の位置をオフセットさせるものであれば、たとえば支持部材３と調節ボルト１１を上下反転させて、支持部材３を巾木部材６の嵌合部６１の下面に当接させ、調節ボルト１１を地レール５の底面に当接させた構造としてもよい。
【００３５】
図７〜９は、図３、４に示したものと同一構造のアジャスター装置１を用いて隣り合う支柱２１、２１間の表裏両側に、それぞれ上下に複数のガラスパネルＰ、・・・を連設してなるパネルシステム１０を構成した例を示している。ガラスパネルＰには予め周縁部に縦横の枠部材９Ａ〜９Ｄよりなる枠体９が強固に保持されており、縦横の各枠部材にはガラスパネルＰの縁部を支持する断面略Ｌ字形の支持片９１が長手方向に渡って突設されており、各々両面テープ又はコーキング材にてガラスパネル周縁部に固定されている。これら各枠部材９Ａ〜９Ｄは例えばアルミ押出し型材で作製される。
【００３６】
最下段のガラスパネルＰは、図８及び図９に示すように、下枠部材９Ａの突出片９２、９２を巾木部材６の嵌合部６１上面に突設した突起部６１ａ、６１ａに嵌合させるとともに、左右の縦枠部材９Ｂ、９Ｃの外面に突設した突出片９２、９２の図示しない切欠き部を、それぞれ支柱２１の内面に予め取り付けた取付金具９３の取付片９３ａに掛止し、表裏反対側のガラスパネルＰについても同様にして支柱２１間に取り付ける。そして、表裏のガラスパネルＰ、Ｐの各上枠部材の突出片９２、９２に下面側を係合させた状態で、支柱２１間にＬ字形金具４４によって横桟４３が架設される。
【００３７】
次に、その上にガラスパネルＰの下枠部材９Ａを前記横桟４３の上面に嵌合させるとともに、最下段のガラスパネルＰと同様、左右の縦枠部材９Ｂ、９Ｃを各支柱２１の内面に取付け、表裏反対側のガラスパネルＰも取り付けた後、上枠部材９Ｄに係合させた状態で横桟４３が支柱２１間に架設される。以降、最上段のガラスパネルＰまで同様に連設し、最上段のガラスパネルＰの上枠部材に笠木部材８を当接させて固定してパネルシステム１０が構成される。
【００３８】
なお、本例のパネルシステム１０では、ガラスパネルＰ、・・・を表裏対称となるように配設したので、アジャスター装置１の支持部材３は、図９に示すように両脚部３２の先端縁３２ａ、３２ａが地レール内壁面５０，５０に当接した状態で地レール内に挿着され、調節ボルト１１を上面部３１のパネル幅方向中央に位置した取付孔３０に取り付けて巾木部材６の中央位置を支持しているが、たとえば上下各ガラスパネルＰを表裏一方の側にのみ設ける場合は、上記代表例と同様、支持部材３を９０度回転させた姿勢で挿着し、調節ボルト１１をガラスパネル側にオフセットした位置に取付けて安定支持させることが好ましいことは言うまでもない。その他の構造については、上記図１〜４で説明した代表例と同様であるため、同一構造には同一符号を付して説明を省略する。
【００３９】
次に、図１０及び図１１に基づき第２実施形態を説明する。
【００４０】
本実施形態の支持構造Ｓは、図１１に示すようにアジャスター装置１の支持部材３の上面部３１における脚部幅方向の中心位置と、該方向に所定距離だけオフセットした位置とに、取付孔３０Ｂ、３０Ａがそれぞれ形成されている。そして、図１０に示すように、脚部３２、３２をパネル面に平行な横方向に向けて該脚部３２、３２の側縁部３２ｂが地レール内壁面５０に当接した安定した状態に該地レール５底面に載置され、調節ボルト１１を取付孔３０Ａに取り付けてなるオフセット位置から、パネル厚み方向中央の取付孔３０Ｂに付け替え可能とされている。
【００４１】
このような支持部材３は、上記の第１実施形態のように９０度回転させて地レール５に挿着する必要がなく、取付孔を変えるだけで調節ボルト１１の位置をオフセット位置から中央位置に変更できることから、脚部幅方向に沿った幅寸法ａ２は地レール５内部のパネル表裏方向の幅寸法ｄと略同一に設定されるが、Ｌ字状脚部３２、３２の先端縁３２ａ、３２ａ間の幅寸法ａ１を前記ａ３よりも広いもの、あるいは狭いものとすることもできる。その他の構造については上記第１実施形態と同様であり、同一構造には同一符合を付してその説明を省略する。
【００４２】
次に、図１２及び図１３に基づき第３実施形態を説明する。
【００４３】
本実施形態の支持構造Ｓは、図１２に示すように、アジャスター装置１の支持部材３を地レール５内をパネル厚み方向に位置変更可能となるように幅狭に構成するとともに、地レール５に、該支持部材３を地レール５の一方の内壁側に寄ったオフセット位置にて係合させるための係止片５３と、該支持部材３を地レール５内のパネル厚み方向中央位置に係合させるための係合突片５２、５２とを設けたものである。
【００４４】
前記支持部材３は、脚部３２をＬ字状ではなく平板状に構成した断面略コ字状の部材であり、脚部３２、３２の端部間の幅寸法が地レール５内部のパネル表裏方向の幅寸法ｄの半分以下の寸法に抑えられ、該方向に位置変更可能とされている。係止片５３は地レールの起立壁上端を内方に屈曲させて構成され、支持部材３の上面部３１上面に係止される高さ位置に形成されている。また、前記係合突片５２、５２は地レール５の底面に突設され、前記中央位置にて支持部材３の両脚部３２、３２の内面に係入して移動不能に保持するものである。
【００４５】
図１２は、地レール５内におけるガラスパネルＰ１と同じ一方の内壁側に寄ったオフセット位置に支持部材３を係合させ、当該オフセットした位置において調節ボルト頭部１１ａで巾木部材６の嵌合部６１を支持してガラスパネルＰ１を安定支持するように構成されている。また、図１３は、前記アジャスター装置１の支持部材３を前記係合突片５２、５２により中央位置に係合し、その上面部３１に取り付けた調節ボルト１１により巾木部材６を略中央部で支持するものであり、図中（ａ），（ｂ）のように表裏対称な位置にガラスパネルＰを２枚取り付ける場合や、ガラスパネルＰを中央位置に取り付ける場合に、ガラスパネル荷重が作用する巾木部材６を中心位置で安定して支持させることが可能となる。
【００４６】
以上本発明の実施形態について説明したが、本発明はこうした実施例に何ら限定されるものではなく、例えばオフセットした位置に設ける取付孔を複数形成し、パネルの偏りの程度に応じて取付孔を選択できるものなど、本発明の要旨を逸脱しない範囲において種々なる形態で実施し得ることは勿論である。
【図面の簡単な説明】
【００４７】
【図１】本発明の第１実施形態に係るパネルシステムの支持構造を示す全体簡略図。
【図２】同じく横断面図。
【図３】同じく縦断面図。
【図４】アジャスター装置の支持部材を示す斜視図。
【図５】（ａ）〜（ｃ）はアジャスター装置を姿勢変更させた例を示す要部の縦断面図。
【図６】アジャスター装置の変形例を示す要部の縦断面図。
【図７】ガラスパネルを上下に複数連設したパネルシステムの変形例を示す全体簡略図。
【図８】同じく横断面図。
【図９】同じく縦断面図。
【図１０】本発明の第２実施形態に係る支持構造を示す要部の縦断面図。
【図１１】同じくアジャスター装置の支持部材を示す斜視図。
【図１２】本発明の第３実施形態に係る支持構造を示す要部の縦断面図。
【図１３】（ａ）、（ｂ）はアジャスター装置を位置変更させた例を示す要部の縦断面図。
【符号の説明】
【００４８】
９Ａ-９Ｄ   枠部材
１    アジャスター装置
２Ａ  縦枠部材
２Ｂ  横枠部材
２Ｃ  横枠部材
３    支持部材
４    目地具
５    地レール
６    巾木部材
７    天レール
８    笠木部材
９    枠体
９Ａ  下枠部材
９Ｂ  縦枠部材
９Ｄ  上枠部材
１０  パネルシステム
１１  調節ボルト
１１ａ      調節ボルト頭部
１２  取付部材
２０ａ      縁部
２０ｂ      縁部
２０ｄ      縁部
２０ｃ      縁部
２１  支柱
２２  支持片
２３  両面テープ
２４ａ      係合凹部
２４Ａ，２４Ｂ    表側枠体
２５Ａ，２５Ｂ，２５Ｃ  裏側枠部材
２６  内面部
２７  取付ネジ
２８  中実部
２９  内面板
３０  取付孔
３０Ａ      取付孔
３０Ｂ      取付孔
３１  上面部
３２  脚部
３２ａ      先端縁
３２ｂ      側縁部
３３  支持プレート
４１  目地部材
４２  目地部材
４３  横桟
４４  Ｌ字形金具
５０  内壁面
５２  係合突片
５３  係止片
６１  嵌合部
６１ａ      突起部
６２  巾木部
８０  先端片
８１  係合段部
８２  溝部
８４  係合溝
９１  支持片
９２  突出片
９３  取付金具
９３ａ      取付片
Ｐ    ガラスパネル
Ｐ１  ガラスパネル
Ｐ３  ガラスパネル
Ｓ    パネル支持構造
【図１】
2008121382.tif 000003
【図２】
2008121382.tif 000004
【図３】
2008121382.tif 000005
【図４】
2008121382.tif 000006
【図５】
2008121382.tif 000007
【図６】
2008121382.tif 000008
【図７】
2008121382.tif 000009
【図８】
2008121382.tif 000010
【図９】
2008121382.tif 000011
【図１０】
2008121382.tif 000012
【図１１】
2008121382.tif 000013
【図１２】
2008121382.tif 000014
【図１３】
2008121382.tif 000015